(57)【要約】【課題】老人や身体の不自由な患者にとって、座ることが容易な歯科治療用椅子を提供する。【解決手段】基台１には、バックレスト３，コンターシート４，レッグレスト５の上昇下降、あるいは、傾斜角度等を調整できる機構が内蔵されている。レッグレスト５の下方に患者の足を乗せるためのステップ（フットレスト）６が設けられている。レッグレスト５は、コンターシート４に対して、内側に折れ込み可能に設けられている。レッグレスト５を内側に折れ込ませることによって、キャスタ７で床面を滑らせてステップ６を後退させることができる。ステップ６が後退した状態では、患者がコンターシート４に腰掛けるには、ステップ６が邪魔になることはない。【選択図】図１
2005198679.tif 000002
【特許請求の範囲】
【請求項１】
コンターシートと、該コンターシートの前部に回動可能に設けられたレッグレストと、該レッグレストの下部に回動可能に取り付けられたフットレストとを有する歯科治療用椅子において、前記レッグレストを鉛直位置よりも内側に折れ込み可能に設けるとともに、前記レッグレストを前記コンターシートの下部内側に折れ込ませるための駆動手段を有することを特徴とする歯科治療用椅子。
【請求項２】
前記フットレストの下部にキャスタを有することを特徴とする請求項１に記載の歯科治療椅子。
【発明の詳細な説明】
【技術分野】
【０００１】
本発明は、老人や身体の不自由な人が乗降するのに適した歯科治療用椅子に関するものである。
【背景技術】
【０００２】
図３は、従来の歯科治療用椅子の一例の概略を説明するための外観図で、図中、１は基台、２はヘッドレスト、３はバックレスト、４はコンターシート、５はレッグレスト、６はフットレスト（ステップ）である。この歯科治療用椅子に患者が座るには、コンターシート４に対して背を向けて、つまり、後向きにステップ６に乗り、そのまま、コンターシート４に座る方法と、前向き、すなわち、コンターシート４の方を向いて、ステップ６に乗ってから、コンターシート４に座りながら向きを変えて座る方法が普通である。
【発明の開示】
【発明が解決しようとする課題】
【０００３】
しかし、上述のように、患者がステップ（フットレスト）６に乗ってから座る方法では、老人や身体の不自由な人にとっては、ステップ６が狭いため、ステップ６に乗った時に不安定な姿勢となり、歯科治療用椅子に座るのが容易でないという問題がある。ステップ６に乗らずに、ステップ６の前方から直接コンターシート４に座る方法もあるが、ステップ６がレッグレスト５より前方に張り出しているため、老人や身体の不自由な人にとっては、やはり容易ではない。
【０００４】
本発明は、上述のごとき実情に鑑みてなされたもので、老人や身体の不自由な患者にとって、座ることが容易な歯科治療用椅子を提供することを目的とするものである。
【課題を解決するための手段】
【０００５】
本発明は、コンターシートと、該コンターシートの前部に回動可能に設けられたレッグレストと、該レッグレストの下部に回動可能に取り付けられたフットレストを有する歯科治療用椅子において、前記レッグレストを鉛直位置よりも内側に折れ込み可能に設けるとともに、前記レッグレストを前記コンターシートの下部内側に折れ込ませるための駆動手段を有することを特徴とするものである。
【発明の効果】
【０００６】
本発明によれば、椅子に乗降する時に、ステップ（フットレスト）がコンターシートの下側に引き込まれているので、老人や身体の不自由な患者でも、容易に座ることができる歯科治療用椅子を実現できる。
【発明を実施するための最良の形態】
【０００７】
本発明は、レッグレストをコンターシートに対して内側に折れ込ませることによってステップ（フットレスト）をコンターシートの下部に後退させることができ、老人や身体の不自由な患者でも、ステップが邪魔になることなく、安全かつ容易に歯科治療用椅子に座ることができるようにしたものである。
【０００８】
図１は、本発明の歯科治療用椅子の一実施例を説明するための要部斜視図で、図中、１は基台、２はヘッドレスト、３はバックレスト、４はコンターシート、５はレッグレスト、６はステップ（フットレスト）を示し、基台１には、バックレスト３，コンターシート４，レッグレスト５の上昇・下降、あるいは、傾斜角度等を調整できる機構が内蔵されており、歯科治療に当り、術者は、椅子全体を上下動，傾斜動等させて治療しやすい状態にした後、患者の頭部後側あるいは側部より治療を行う。なお、バックレスト３の上方中央部には患者の頭部を支えるヘッドレスト２が設けられ、レッグレスト５の下方には患者の足を乗せるためのフットレスト（ステップ）６が設けられている。
【０００９】
レッグレスト５は、コンターシート４に対して、内側に折れ込み可能に設けられ、エアーシリンダ、油圧シリンダ、モータ等任意所望の駆動手段で折れ込ませることができる。駆動手段は、コンターシート４に対するレッグレスト５の角度（回動）を調整するように駆動できるものであればよい。図示例の場合、駆動手段として、エアーシリンダ１０をコンターシート４側に取り付け、そのピストンを接続部１１でレッグレスト５側に取り付けるようにした。エアーシリンダ１０を作動させることによって、レッグレスト５を内側に折り曲げて、ステップ６を後退させることができる。ステップ（フットレスト）６は、レッグレスト５の下部に、その後部が回動軸となるように回動可能に支持されており、レッグレスト５が鉛直となったときに、足を乗せる面が略水平となる位置をとるように回動が規制されており（点線位置参照）、この略水平となる位置を下限とし、健常者はこの状態で乗降する。この状態だと（点線位置）、ステップ（フットレスト）６がコンターシート４の前部より前方に張り出しているため、老人や身体の不自由な人は、このステップ６が邪魔になる。本発明においては、前記レッグレスト５を鉛直状態より更にコンターシート４の下側に折り込ませ（実線位置参照）、ステップ６がコンターシート４の前方に張り出さないようにしたものである。
【００１０】
好ましい実施例においては、ステップ６の下面にキャスタ７が取り付けられておりレッグレスト５を内側に折れ込ませる際に、キャスタ７で床面を滑らせてステップ６を後退させることができる。ステップ６が後退した状態では、ステップ６はコンターシート４の前部より前方に張り出していることはなく、患者がコンターシート４に腰掛ける時に、ステップ６が邪魔になることはない。患者が座った後、レッグレスト５を所定の位置に戻すことによりステップ６が前方に引き出され、足をステップ６に乗せることができる。
【００１１】
図２は、図１で説明した歯科治療用椅子に使用状態の一例の説明図で、図中、８は床面、９は隆起面で、この実施例においては、歯科治療椅子が設置されている床面８は低くなっており、その他、図１と同様の部分には、同じ符号を付してある。患者が治療椅子に乗る時の床面（隆起面）９は床面８より高くなっており、患者は、この高くなっている隆起面９より歯科治療椅子に乗ることができる。換言すれば、隆起面９がないとすれば、患者は床面８からの高さＨ1の椅子に座らなければならないが、隆起面９があると、この隆起面Ｈ2（Ｈ2＜Ｈ1）の高さの椅子に座ることができる。更には、この隆起面９と床面８との間は傾斜面Ｓになっており、この傾斜面Ｓを利用してステップ６をコンターシート４の下側に引き込ませることができる。
【００１２】
身体の不自由な人で、図１に示したＨの高さの位置では歯科治療用椅子に座るのが容易でない場合には、図２に示すように、レッグレスト５を内側に折り曲げ、コンターシート４を下降させる。それによって、ステップ６がキャスタ７で斜面を滑って後退する。ステップ６が邪魔にならないばかりでなく、座面が低くなるので、患者は隆起面９の上から容易に座ることができる。
【図面の簡単な説明】
【００１３】
【図１】本発明の歯科治療用椅子の一実施例を説明するための要部斜視図である。
【図２】本発明の歯科治療用椅子の使用状態の一例を説明するための図である。
【図３】従来の歯科治療用椅子の一例の概略を説明するための外観図である。
【符号の説明】
【００１４】
１…基台、２…ヘッドレスト、３…バックレスト、４…コンターシート、５…レッグレスト、６…ステップ、７…キャスタ、８…床面、９…隆起面、１０…エアーシリンダ、１１…接続部。
【図１】
2005198679.tif 000003
【図２】
2005198679.tif 000004
【図３】
2005198679.tif 000005